【手続補正書】
【提出日】平成21年10月26日(2009.10.26)
【手続補正１】
【補正対象書類名】明細書
【補正対象項目名】発明の名称
【補正方法】変更
【補正の内容】
【発明の名称】マルチホップ無線通信システム、中継装置、方法及びコンピュータプログラム
【手続補正２】
【補正対象書類名】特許請求の範囲
【補正対象項目名】全文
【補正方法】変更
【補正の内容】
【特許請求の範囲】
【請求項１】
送信元装置、送信先装置及び１つ以上の中継装置を有するマルチホップ通信システムで使用する送信方法であって、前記送信元装置は、該送信元装置から前記中継装置を介して前記送信先装置に至る通信パスを形成する一連のリンクに沿って情報を送信し、前記中継装置は、前記通信パスに沿って先行する装置から情報を受信し且つ前記通信パスに沿って後続の装置に受信信号を送信し、前記マルチホップ通信システムは、送信のために時間と周波数とを用いたフォーマットを利用し、送信期間において複数の送信ウインドウを設け、各送信ウインドウは、該送信期間の異なる部分を占め、前記各送信ウインドウは送信のために割り当て可能であり、当該送信方法は、
少なくとも２つの連続したリンクに沿って、リンク毎に、データ及び／又は制御情報を送信し、該少なくとも２つの連続したリンクに沿って送信される前記データ及び／又は制御情報のそれぞれは、同じ送信期間に設けられた複数の送信ウインドウ内で送信される、ことを特徴とする送信方法。
【請求項２】
前記複数の送信ウインドウは、利用可能な送信周波数帯域の共通部分を包含する請求項１記載の送信方法。
【請求項３】
前記複数の送信ウインドウは、各送信期間の間実質的に送信周波数帯域全体にわたって広がっている請求項１又は２に記載の送信方法。
【請求項４】
前記少なくとも２つの連続したリンクに沿った前記データ及び／又は制御情報の送信に先立って、特定の送信期間の特定の送信ウインドウを前記連続的なリンクに沿う第１中継装置に、前記データ及び／又は制御情報を前記連続的なリンクに沿う第２中継装置に送信するために割り当て、前記第２中継装置は前記第１中継装置からのパスに沿うリンクでの後続装置であり、該特定の送信期間の後続の送信ウインドウを前記第２中継装置に、前記データ及び／又は制御情報を前記連続的なリンクに沿う第３中継装置に送信するために割り当て、前記第３中継装置は前記第２中継装置からのパスに沿うリンクでの後続装置である請求項１乃至３の何れか１項に記載の送信方法。
【請求項５】
前記マルチホップ通信システムが少なくとも２つの中継装置を有し、前記特定の送信期間が第１送信期間であり、当該送信方法が、
前記少なくとも２つの連続したリンクに沿った前記データ及び／又は制御情報の送信に先立って、前記第１送信期間に続く第２送信期間の特定の送信ウインドウを前記第３中継装置に、前記データ及び／又は制御情報を前記連続的なリンクに沿う第４中継装置に送信するために割り当て、前記第４中継装置は前記第３中継装置からのパスに沿うリンクでの後続装置である請求項４記載の送信方法。
【請求項６】
前記マルチホップ通信システムが少なくとも３つの中継装置を有し、当該送信方法が、
前記少なくとも２つの連続したリンクに沿った前記データ及び／又は制御情報の送信に先立って、前記第２送信期間の後続の送信ウインドウを前記第４中継装置に、前記データ及び／又は制御情報を前記連続的なリンクに沿う第５中継装置に送信するために割り当て、前記第５中継装置は前記第４中継装置からのパスに沿うリンクでの後続装置である請求項５記載の送信方法。
【請求項７】
前記第１及び／又は第２送信期間各々の前記特定の後続の送信ウインドウは、前記送信期間の別の送信ウインドウの時間的に両側にある請求項５記載の送信方法。
【請求項８】
前記送信期間の別の送信ウインドウに対応する特定の送信期間の一部の間に、前記第２及び／又は第４中継装置で処理を実行し、該送信期間の特定の送信ウインドウで受信した情報に基づいて、該送信期間の後続の送信ウインドウでの送信に備えて情報を構築する請求項７記載の送信方法。
【請求項９】
前記特定の又は後続の送信ウインドウが２つの送信ウインドウ部分を有し、一方の送信ウインドウ部分は制御情報の伝送用であり、他方の送信ウインドウ部分はデータ情報の送信用である請求項４乃至８の何れか１項に記載の送信方法。
【請求項１０】
前記通信パスが間接的な通信パスであり、前記マルチホップ通信システムが少なくとも別の送信先装置を有し、前記送信元装置又はいずれかの中継装置は、直接的な通信パスを形成する関連するシングルリンクに沿って前記送信先装置の又は該別の送信先装置に情報を直接的に送信する請求項１乃至９の何れか１項に記載の送信方法。
【請求項１１】
前記送信期間の１つ以上の送信ウインドウの中で、空間分割多重アクセス法を利用する請求項１乃至１０の何れか１項に記載の送信方法。
【請求項１２】
前記時間と周波数とを用いたフォーマットは、時分割二重通信システムのダウンリンク又はアップリンクサブフレーム用のフォーマットである請求項１乃至１１の何れか１項に記載の送信方法。
【請求項１３】
前記マルチホップ通信システムがＯＦＤＭ又はＯＦＤＭＡシステムであり、前記時間と周波数とを用いたフォーマットが、ＯＦＤＭ又はＯＦＤＭＡ時分割二重通信システムのＯＦＤＭ又はＯＦＤＭＡダウンリンク又はアップリンクサブフレーム用のフォーマットである請求項１乃至１２の何れか１項に記載の送信方法。
【請求項１４】
個々の送信期間各々が、サブフレーム期間である請求項１乃至１３の何れか１項に記載の送信方法。
【請求項１５】
前記送信ウインドウの各々がＯＦＤＭ又はＯＦＤＭＡフレーム構造中の領域を構成する請求項１乃至１４の何れか１項に記載の送信方法。
【請求項１６】
送信元装置、送信先装置及び１つ以上の中継装置を有するマルチホップ通信システムであって、前記送信元装置は、該送信元装置から前記中継装置を介して前記送信先装置に至る通信パスを形成する一連のリンクに沿って情報を送信し、前記中継装置は、前記通信パスに沿って先行する装置から情報を受信し且つ前記通信パスに沿って後続の装置に受信信号を送信し、前記マルチホップ通信システムは、
送信のために時間と周波数とを用いたフォーマットを利用し、送信期間において複数の送信ウインドウを設け、各送信ウインドウは、該送信期間中の異なる部分を占め、前記各送信ウインドウは送信のために割り当て可能であり、
少なくとも２つの連続したリンクに沿って、リンク毎に、データ及び／又は制御情報を送信し、該少なくとも２つの連続したリンクに沿って送信される前記データ及び/又は制御情報のそれぞれは、同じ送信期間に設けられた複数の送信ウインドウ内で送信される
ことを特徴とするマルチホップ通信システム。
【請求項１７】
送信元装置、送信先装置及び１つ以上の中継装置を有するマルチホップ通信システムのコンピュータ装置で実行される一組のコンピュータプログラムであって、前記送信元装置は、該送信元装置から前記中継装置を介して前記送信先装置に至る通信パスを形成する一連のリンクに沿って情報を送信し、前記中継装置は、前記通信パスに沿って先行する装置から情報を受信し且つ前記通信パスに沿って後続の装置に受信信号を送信し、前記マルチホップ通信システムは、送信のために時間と周波数とを用いたフォーマットを利用し、送信期間において複数の送信ウインドウを設け、各送信ウインドウは、該送信期間中の異なる部分を占め、前記各送信ウインドウは送信のために割り当て可能であり、当該コンピュータプログラムは、
少なくとも２つの連続したリンクに沿って、リンク毎に、データ及び／又は制御情報を送信し、該少なくとも２つの連続したリンクに沿って送信される前記データ及び/又は制御情報のそれぞれは、同じ送信期間に設けられた複数の送信ウインドウ内で送信されるようにした方法をコンピュータ装置に実行させるコンピュータプログラム。
【請求項１８】
送信元装置及び送信先装置を有するマルチホップ通信システムで使用する中継装置あって、前記送信元装置は、該送信元装置から前記中継装置を介して前記送信先装置に至る通信パスを形成する一連のリンクに沿って情報を送信し、当該中継装置は、前記通信パスに沿って先行する装置から情報を受信し且つ前記通信パスに沿って後続の装置に受信信号を送信し、当該中継装置は、
送信のために時間と周波数とを用いたフォーマットを利用し、送信期間において複数の送信ウインドウを設け、各送信ウインドウは、該送信期間中の異なる部分を占め、前記各送信ウインドウは送信のために割り当て可能であり、
少なくとも２つの連続したリンクに沿って、リンク毎に、データ及び/又は制御情報を受信し、該少なくとも２つの連続したリンクに沿って送信される前記データ及び/又は制御情報のそれぞれは、同じ送信期間に設けられた複数の送信ウインドウ内で送信される中継装置。
【請求項１９】
送信元装置及び送信先装置を有するマルチホップ通信システムの中継装置で使用する方法であって、前記送信元装置は、該送信元装置から前記中継装置を介して前記送信先装置に至る通信パスを形成する一連のリンクに沿って情報を送信し、当該中継装置は、前記通信パスに沿って先行する装置から情報を受信し且つ前記通信パスに沿って後続の装置に受信信号を送信し、当該方法は、
送信のために時間と周波数とを用いたフォーマットを利用し、送信期間において複数の送信ウインドウを設け、各送信ウインドウは、該送信期間中の異なる部分を占め、前記各送信ウインドウは送信のために割り当て可能であり、
少なくとも２つの連続したリンクに沿って、リンク毎に、データ及び/又は制御情報を受信し、該少なくとも２つの連続したリンクに沿って送信される前記データ及び/又は制御情報のそれぞれは、同じ送信期間に設けられた複数の送信ウインドウ内で送信される方法。
【請求項２０】
送信元装置及び送信先装置を有するマルチホップ通信システムの中継装置のコンピュータ装置で実行されるコンピュータプログラムであって、前記送信元装置は、該送信元装置から前記中継装置を介して前記送信先装置に至る通信パスを形成する一連のリンクに沿って情報を送信し、当該中継装置は、前記通信パスに沿って先行する装置から情報を受信し且つ前記通信パスに沿って後続の装置に受信信号を送信し、当該コンピュータプログラムは、
送信のために時間と周波数とを用いたフォーマットを利用し、送信期間において複数の送信ウインドウを設け、各送信ウインドウは、該送信期間中の異なる部分を占め、前記各送信ウインドウは送信のために割り当て可能であり、
少なくとも２つの連続したリンクに沿って、リンク毎に、データ及び/又は制御情報を受信し、該少なくとも２つの連続したリンクに沿って送信される前記データ及び/又は制御情報のそれぞれは、同じ送信期間に設けられた複数の送信ウインドウ内で送信される  方法を前記コンピュータ装置に実行させるコンピュータプログラム。